(57)【要約】      （修正有）【課題】ヒータを用いた記録ヘッドの記録素子基板に不均一な温度分布があっても、濃度ムラの発生を防止できる記録装置を提供する。【解決手段】記録素子ユニット１１００には、インクを吐出するための複数の吐出口がそれぞれ配列された複数の吐出口列３３１０〜３３６０が配置されており、それぞれの吐出口は、各吐出口に対応するヒータ２１００が設けられた圧力室に連通している。きれいモードが選択された場合は、複数の吐出口列３３１０〜３３６０のうち、所定方向における両側の吐出口列３３１０および吐出口列３３６０を除いた他の吐出口列３３２０〜３３５０に対応するヒータ２１００を優先して駆動し記録を行う。【選択図】図４
2016083882.tif 000002
【特許請求の範囲】
【請求項１】
液体を吐出するための複数の吐出口がそれぞれ配列された複数の吐出口列であって、それぞれの吐出口に対応してヒータが備えられた複数の吐出口列が記録素子基板に所定方向に沿って配置された記録ヘッドを用いて記録を行う記録装置において、
前記複数の吐出口列における吐出口に対応したヒータを駆動して液体を吐出するための駆動手段であって、前記所定方向に配置された前記複数の吐出口列のうち、当該所定方向における両側の第１の吐出口列および第２の吐出口列を除いた他の吐出口列に対応する前記ヒータを優先して駆動して記録を行うようにする駆動手段を備えたことを特徴とする記録装置。
【請求項２】
前記駆動手段は、
前記他の吐出口列の各吐出口について吐出不良を検出する検出手段と、
吐出不良が検出されない吐出口に割り当てられた画像データに基づく駆動信号を用いて該吐出口に対応する前記ヒータを駆動させ、及び、吐出不良が検出された吐出口に割り当てられた前記画像データに基づく前記駆動信号を用いて、前記第１の吐出口列または前記第２の吐出口列のうち、前記所定方向において該吐出口と同じ位置または該吐出口の近くの位置の吐出口に対応する前記ヒータを駆動させて、吐出不良が検出された前記吐出口によるべき画像記録を、前記同じ位置または近くの位置の前記吐出口に補わせる補完手段と、
を含む、請求項１に記載の記録装置。
【請求項３】
記録画質及び／または記録速度を設定するモードを設定する手段をさらに備え、
前記駆動手段は、設定された前記モードが記録速度を優先するモードであるか否か判定する判定手段をさらに含み、
前記検出手段は、設定された前記モードが前記記録速度を優先するモードではないと判定されたときに、前記他の吐出口列の各吐出口について吐出不良を検出する、請求項２に記載の記録装置。
【請求項４】
前記駆動手段は、駆動信号が画像データに基づいているときに、前記他の吐出口列の前記ヒータを、前記第１及び第２の吐出口列の前記ヒータを駆動させることなく駆動させる、請求項１に記載の記録装置。
【請求項５】
前記駆動手段は、前記駆動信号が前記画像データに基づかない、前記記録ヘッドのための吐出回復処理のための信号であるときに、前記第１及び第２の吐出口列の前記ヒータ及び前記他の吐出口列の前記ヒータを前記駆動信号に基づき駆動させる、請求項２乃至４のいずれか一項に記載の記録装置。
【請求項６】
前記記録ヘッドは、前記第１の吐出口列の前記吐出口に連通する液体流路であって、前記第２の吐出口列の前記吐出口及び前記他の吐出口列の前記吐出口にさらに連通する液体流路を含む、請求項１乃至５のいずれか一項に記載の記録装置。
【請求項７】
液体を吐出するための複数の吐出口がそれぞれ配列された複数の吐出口列であって、それぞれの吐出口に対応してヒータが備えられた複数の吐出口列が記録素子基板に所定方向に沿って配置された記録ヘッドの駆動方法において、
前記複数の吐出口列における吐出口に対応したヒータを駆動して液体を吐出するための駆動ステップであって、前記所定方向に配置された前記複数の吐出口列のうち、当該所定方向における両側の第１の吐出口列および第２の吐出口列を除いた他の吐出口列に対応する前記ヒータを優先して駆動して記録を行うようにする駆動ステップを有することを特徴とする駆動方法。
【請求項８】
前記駆動ステップは、
前記他の吐出口列の各吐出口について吐出不良を検出するステップと、
吐出不良が検出されない吐出口に割り当てられた画像データに基づく駆動信号を用いて該吐出口に対応する前記ヒータを駆動させ、及び、吐出不良が検出された吐出口に割り当てられた前記画像データに基づく前記駆動信号を用いて、前記第１の吐出口列または前記第２の吐出口列のうち、前記所定方向において該吐出口と同じ位置または該吐出口の近くの位置の吐出口に対応する前記ヒータを駆動させて、吐出不良が検出された前記吐出口によるべき画像記録を、前記同じ位置または近くの位置の前記吐出口に補わせるステップと、
を含む、請求項７に記載の駆動方法。
【請求項９】
記録画質及び／または記録速度を設定するモードを設定するステップを前記駆動ステップの前にさらに有し、
前記駆動ステップは、設定された前記モードが記録速度を優先するモードであるか否か判定するステップを前記検出するステップの前にさらに含み、
設定された前記モードが前記記録速度を優先するモードではないと判定されたときに、前記検出するステップにおいて、前記他の吐出口列の各吐出口について吐出不良を検出する、請求項８に記載の駆動方法。
【請求項１０】
前記駆動信号が前記画像データに基づいているときに、前記駆動ステップにおいて、前記他の吐出口列の前記ヒータを、前記第１及び第２の吐出口列の前記ヒータを駆動させることなく駆動させる、請求項７に記載の駆動方法。
【発明の詳細な説明】
【技術分野】
【０００１】
本発明は記録装置及び記録ヘッドの駆動方法に関する。詳細には、インクを吐出する複数の吐出口が配列された複数の吐出口列を有する記録ヘッドについて吐出口列を選択的に使用する技術に関する。
【背景技術】
【０００２】
ノンインパクト記録方式の記録装置であるインクジェット記録装置における記録方式の一つに、記録素子にヒータを用いる方式がある。この方式の記録ヘッドは、ノズル内のヒータに駆動パルスを印加して熱エネルギをインクに与えて相変化させ、これにより生じるインクの膜沸騰圧力でインク滴を吐出口から記録媒体に向け吐出する。ヒータは、インク流路が形成された支持部材に接合される記録素子基板内に設けられる。
【０００３】
ヒータを用いる方式の記録ヘッドにおける吐出口間の吐出特性バラツキへの対応技術として、特許文献１は、そのようなバラツキが濃度ムラとして現われる場合に、その現れ方が異なっても適切な濃度補正を行う方法を開示する。具体的には、記録する画像の種類に応じて適切な濃度補正テーブルを選択することで濃度補正を行う。
【先行技術文献】
【特許文献】
【０００４】
【特許文献１】特開２００１−１０５６３２号公報
【発明の概要】
【発明が解決しようとする課題】
【０００５】
しかし、ヒータを用いる方式の記録ヘッドを持つインクジェット記録装置においては、一般に記録素子基板の温度変動によるインクの粘度変動によってインクの吐出量が変動する。従って、記録素子基板の温度が全体的に均一でない場合は、記録素子基板上の領域によってインク吐出量が異なり、記録画像に濃度ムラが生じる場合がある。また、一つの記録素子基板で複数色のインクを吐出する方式の記録ヘッドにおいては、記録媒体上で重ね合わせる各色のインク量が変動して、意図した色を再現できない場合がある。
【０００６】
図１に、ヒータを用いる方式の記録ヘッドの断面構成を示し、同図を参照して、記録素子基板上で不均一な温度分布が生じることを説明する。同図は、記録素子基板に直線状に配列された吐出口の配列方向に対して垂直な断面を表す。
【０００７】
図１の記録ヘッドにおいては、ヒータ２１００からの熱エネルギは記録素子基板２０００の表面から放熱される他、基板裏面から支持部材４０００に伝わって放熱される。支持部材４０００の、記録素子基板２０００の外側領域に対応する部分Ａの体積は、その内側領域に対応する部分Ｂの体積よりも大きい。よって、（部分Ａの熱容量）＞（部分Ｂの熱容量）であるため、基板裏面からの放熱については、記録素子基板２０００の外側領域からは内側領域からよりも多くの熱量が放熱される。基板表面からの放熱は均一であることから、記録素子基板２０００上で結果的に、図１の下部に示したような、基板の両側で他の部分と比較して温度が低くなるという、不均一な温度分布が生じる。このような温度分布が、先述した通りの濃度ムラや色再現性の問題を招来する。このような温度分布の不均一に起因した濃度ムラは、特許文献１に記載の画像の種類に応じて適切な濃度補正テーブルを用いても解決することができない。
【０００８】
そこで、本発明の目的は、記録素子基板上の温度分布の不均一に起因する、画像の濃度ムラや色再現性の問題を防止でき、記録素子基板共通化の上での課題を解決することができる、簡単な構成の記録装置及び記録ヘッドの駆動を提供することである。
【課題を解決するための手段】
【０００９】
上記目的を達成する本発明の一態様の記録装置は、インクを吐出するための複数の吐出口がそれぞれ配列された複数の吐出口列であって、それぞれの吐出口に対応してヒータが備えられた複数の吐出口列が記録素子基板に所定方向に沿って配置された記録ヘッドを用いて記録を行う記録装置において、前記複数の吐出口列における吐出口に対応したヒータを駆動してインクを吐出するための駆動手段であって、前記所定方向に配置された前記複数の吐出口列のうち、当該所定方向における両側の第１の吐出口列および第２の吐出口列を除いた他の吐出口列に対応する前記ヒータを優先して駆動して記録を行うようにする駆動手段を備える。
【００１０】
上記目的を達成する本発明の別の態様の記録ヘッドの駆動方法は、インクを吐出するための複数の吐出口がそれぞれ配列された複数の吐出口列であって、それぞれの吐出口に対応してヒータが備えられた複数の吐出口列が記録素子基板に所定方向に沿って配置された記録ヘッドの駆動方法において、前記複数の吐出口列における吐出口に対応したヒータを駆動してインクを吐出するための駆動ステップであって、前記所定方向に配置された前記複数の吐出口列のうち、当該所定方向における両側の第１の吐出口列および第２の吐出口列を除いた他の吐出口列に対応する前記ヒータを優先して駆動して記録を行うようにする駆動ステップを有する。
【発明の効果】
【００１１】
以上の構成によれば、記録素子基板上の温度分布の不均一に因り生じる、画像の濃度ムラや色再現性の問題を防止することができる。
【図面の簡単な説明】
【００１２】
【図１】従来の記録装置の一例において用いられる記録ヘッドの断面構成及び同記録ヘッドにおける温度分布を示す図である。
【図２】本発明の実施形態１に係る記録装置において用いられる記録ヘッドの外観斜視図である。
【図３】図２の記録ヘッドの模式平面図である。
【図４】図２の記録ヘッドの模式平面図及び模式断面図である。
【図５】本発明の実施形態１に係る記録装置の動作を説明するフローチャートである。
【図６】本発明の実施形態１に係る記録装置において用いられる記録ヘッドにおける吐出口列の平面図である。
【図７】本発明の実施形態１に係る記録装置において用いられる記録ヘッドにおける伝熱経路を説明する図である。
【発明を実施するための形態】
【００１３】
(実施形態１)  
本発明の実施形態１に係る記録装置はシリアル走査方式のインクジェット記録装置であって、例示として、図２にその外観を示すシリアル型記録ヘッド１０００を搭載する。インク等の液体を吐出する記録ヘッド１０００は、記録素子ユニット１１００を備え、単一色インクのための記録素子ユニット１１００は、記録素子基板２０００及び支持部材（不図示）を備える。記録素子ユニット１１００は、ヒータを用い、ヒータとインク吐出口が対向するように配置されたタイプである。記録素子ユニット１１００は少なくとも一つが備えられるが、異色インクのために複数が並置されて、カラー記録を行えるものであっても良い。記録素子ユニット１１００において、記録される画像のための画像データに基づいた駆動信号に応じてヒータが発熱駆動され、該熱エネルギによりインクに膜沸騰を生じさせ、その膜沸騰圧力でインク滴が吐出口から記録媒体に向け吐出される。
【００１４】
以下、記録素子ユニット１１００の詳細な構成について、図３及び図４を参照して説明する。図３は、支持部材上に記録素子基板及び電気配線部材が配置された状態を模式的に示す平面図である。図４（Ａ）は、電気接続部及び記録素子基板の周囲が封止された状態の平面を模式的に示し、図４（Ｂ）は、その断面を模式的に示す。
【００１５】
例えば厚さ０．５〜１ｍｍのＳｉ基板から成る記録素子基板２０００には、液体流路としてのインク流路４２００と連通する長溝状の貫通口であるインク供給口２２１０，２２２０，２２３０が並列に且つ平行に形成されている。インク供給口２２１０〜２２３０は、Ｓｉ基板をＴＭＡＨ（水酸化テトラメチルアンモニウム）やＫＯＨ（水酸化カリウム）等のエッチング液に浸漬することで形成される。それぞれのインク供給口２２１０〜２２３０に沿うように、半導体プロセスによってヒータ２１００、及び、ヒータ２１００を駆動する駆動回路２４００が形成され、記録素子基板２０００の両端部には電極部２３００が形成される。記録素子基板２０００上には、樹脂材料でフォトリソグラフィー技術によって、ヒータ２１００を内方する圧力室と、インク供給口２２２０から圧力室にインクを供給する供給流路とが形成され、ヒータ２１００に対向する位置に吐出口３１００が形成される。
【００１６】
支持部材４０００は、例えば厚さ０．５〜１０ｍｍのアルミナで形成されている。支持部材４０００の材料はアルミナに限られることなく、記録素子基板２０００の材料の線膨張率と同等の線膨張率を有する材料であれば良い。そのような材料で、記録素子基板２０００の材料の熱伝導率と同等もしくはそれよりも高い熱伝導率を有する材料として、例えば、シリコン、窒化アルミニウム、ジルコニア、窒化珪素、炭化珪素、モリブデン、タングステンのうちいずれかを使用してもよい。また、記録素子基板２０００の材料よりも熱伝導率が低い、例えば、樹脂材料を使用しても良い。
【００１７】
支持部材４０００には、記録素子基板２０００のインク供給口２２１０〜２２３０に同一色のインクを供給するためのインク流路４２００が形成されている。本実施形態の記録装置で使用する記録ヘッドでは、消費されたインク量に応じた量のインクがインク貯溜部手段（不図示）からインク流路４２００に供給される。しかし、本発明を適用し得る記録装置が備える記録ヘッドの構成はこれに限定されず、インク流路４２００内のインクが循環手段（不図示）によって強制的に循環される構成の記録ヘッドであっても良い。
【００１８】
記録素子基板２０００は、インク供給口２２１０〜２２３０が支持部材４０００のインク流路４２００と連通するように、記録素子基板２０００の裏面の外周部と各インク供給口の間の領域を使用して、支持部材４０００に接着固定される。接着に用いられる接着剤は、低粘度で硬化温度が低く、短時間で硬化し、かつ、耐インク性のあるものが望ましい。例えば、エポキシ樹脂を主成分とした紫外線・熱硬化併用型の接着剤が用いられ、その際の接着層の厚みは５０μｍ以下が望ましい。
【００１９】
インク滴を吐出するための駆動信号をヒータ２１００に印加する電気信号経路や電力供給経路を記録素子基板２０００上で形成する電気配線部材５０００は、記録素子基板２０００に対応した開口部を有する。電気配線部材５０００は、記録素子基板２０００の近傍の支持部材４０００上に接着されている。
【００２０】
電気配線部材５０００の開口部の上部及び下部の縁付近には、記録素子基板２０００の電極部２３００に接続される電極端子５１００が形成されている。電気配線部材５０００の端部には、装置本体から駆動信号を受け取るための外部信号入力端子（不図示）が形成されており、外部信号入力端子（不図示）は連続した銅箔の配線パターンで電極端子５１００と接続されている。
【００２１】
電気配線部材５０００と記録素子基板２０００の電気的な接続は、記録素子基板２０００の電極部２３００と電気配線部材５０００の電極端子５１００を例えばワイヤ−ボンデイングにより互いに接続することで実現される。なお、このような電気接続部は、インクによる腐食及び外力による損傷を防止するため封止材６１００により封止されている。また、記録素子基板２０００と電気配線部材５０００の間の隙間は、封止剤６２００により封止されている。
【００２２】
本発明の実施形態１に係る記録装置は、限定としてではなく例示として、ヒータを用い、インク供給口が３列、互いに平行に並置された図２乃至図４に示した構成を有する記録ヘッドを備える。これとは別に、ヒータを用い、インク供給口が２列または４列以上、互いに平行に並置された類似の構成を有する記録ヘッドを備える記録装置にも本発明を適用することができる。さらに、これとは別に、所謂ページプリンタに用いるライン型記録ヘッドであっても、ヒータを用い、少なくとも２列の互いに平行なインク供給口を有する類似の構成を有する記録ヘッドを備える記録装置にも本発明を適用することができる。
【００２３】
本発明の実施形態１に係る記録装置は、上記構成の記録ヘッドの各吐出口列の各吐出口に対応したヒータを駆動信号により駆動するために、ＣＰＵ，ＲＯＭ，ＲＡＭ，その他記憶媒体を含む制御構成を備える。また、同記録装置は、記録画質および／または記録速度のための複数の動作モードで動作でき、その中からユーザが任意のモードを選択して設定することができる。ユーザモードを設定してホスト装置から記録装置に印刷命令が送られると該制御構成が動作する。そして、ＲＯＭまたは記憶媒体から、または通信手段を通じて外部からＲＡＭにロードしたプログラムをＣＰＵが実行することで、図５に示されるフローに従った、本発明の実施形態１における動作が実現される。
【００２４】
図５のフローにおいて、ユーザが設定した動作モードを判定し（Ｓ５１０，５２０）、画質優先の場合は使用する吐出口列を制限して記録し（Ｓ５３０〜６００）、速度優先の場合は全吐出口列を用いて記録する（Ｓ６３０，６４０）。詳細には、Ｓ５１０で「きれいモード」が選択されていないと判定し且つ続いてＳ５２０で「標準モード」が選択されていないと判定した場合は、記録画質より記録速度を優先して画像を記録する「はやいモード」が選択されている。この場合、Ｓ６３０に進んで全吐出口列３３１０〜３３６０（図６参照）の全吐出口について吐出回復処理を行なう。その後、Ｓ６４０で全吐出口列３３１０〜３３６０を使用してより短時間でより高速の画像記録のための吐出を行うように、記録される画像のための画像データに基づいた駆動信号により各ヒータを駆動する。記録素子基板２０００の内側領域の吐出口列３３２０〜３３５０と合わせて内側領域と温度が均等でない外側領域の吐出口列３３１０，３３６０が使用される結果、一定の画質劣化を許容して高速で記録を行える。本明細書において記録素子基板について「外側領域」とは、複数の吐出口列の配列方向の両側の2つの吐出口列が配置される、基板端部に沿った領域を言い、「内側領域」とは、2つの「外側領域」の間の領域を言う。
【００２５】
なお、Ｓ６３０の吐出回復処理は、記録ヘッドの吐出口の目詰まり等の吐出不良、或いは吐出口からの水分蒸発によるインクの濃度上昇に起因した画質低下の防止のために行われる。Ｓ６３０では、記録される画像のための画像データに基づかない吐出回復処理のための信号により各ヒータを駆動して記録ヘッドからインク滴吐出を行なうことで、吐出口内の粘度の増したインクなどを排出する。シリアル型記録ヘッド１０００を用いる本実施形態では、記録媒体外のキャップ内等への紙面外予備吐出として吐出回復処理を行う。これとは別に、ライン型記録ヘッドを用いるページプリンタに本発明を適用する場合にあっては、記録媒体上への紙面上予備吐出として吐出回復処理を行う。紙面上予備吐出には、記録媒体上で記録される複数の記録画像の間にインク滴吐出を行う方式（画像間予備吐出）と、記録画像内にインク滴吐出を行う方式（画像内予備吐出）とがある。
【００２６】
一方、Ｓ５１０でモード判定を行った結果、画質が速度より優先される「きれいモード」が選択されている場合、及び、Ｓ５１０及びＳ５２０でモード判定を行った結果、画質と速度のバランスを考慮した「標準モード」が選択されている場合、Ｓ５３０以降に進む。すなわち、Ｓ５３０においてＳ６３０と同様の吐出回復処理を行った後、吐出口列３３２０〜３３５０の各吐出口について吐出不良が有るか否かを検出し（Ｓ５４０〜５６０）、検出結果に応じてヒータの駆動を行うように制御する。
【００２７】
先ず、不吐出検出パターンを周知の技術により形成し（Ｓ５４０）、次いで、該パターンを周知の技術により光学デバイスによりスキャンして不吐出の有無を検出する（Ｓ５５０）。ここで、記録素子基板２０００の内側領域の吐出口列３３２０〜３３５０の各吐出口のいずれも不吐出でなければこれら吐出口列３３２０〜３３５０を使用し、外側領域の吐出口列３３１０，３３６０は使用せずに画像を記録する（Ｓ５６０，Ｓ６００）。なお、画像データは吐出口列３３２０〜３３５０の各吐出口に分散されてほぼ均等に割り当てられ、特定の吐出口列や吐出口が集中して使用されることはない。このため、記録素子基板２０００の内側領域における発熱は均一で基板温度は均等であり、内側領域と温度が均等でない領域の吐出口列３３１０，３３６０を画像記録に使用しないため、温度変化による濃度ムラがなく、色再現性に優れた画像記録を実現できる。
【００２８】
一方、Ｓ５６０で不吐出の吐出口が有ると判定した場合は、以降、不吐出が検出された、吐出口列３３２０〜３３５０における吐出口について不吐出補完処理を施して画像を記録する（Ｓ５７０〜５９０）。不吐出補完処理は、ゴミの混入やヒータ故障による吐出不良の吐出口について記録画像に白スジが発生することなどを防止して記録画像への影響を最小限に抑えるための技術である。本実施形態の不吐出補完処理では、以下で詳述する通り、記録素子基板２０００の内側領域の吐出口列３３２０〜３３５０内で不吐出が検出された吐出口によるべきインク滴の吐出を、外側領域の吐出口列３３１０，３３６０からのインク滴の吐出によって補う。
【００２９】
以下、図６に示した記録ヘッドの模式平面図を参照して、Ｓ５７０以降の処理を詳細に説明する。
【００３０】
図６において、吐出口列３３１０は、所定方向である吐出口の配列方向に沿う向きの、記録素子基板２０００の図中左側の端部に沿って配列され、左側端部に最も近い吐出口列である。記録素子基板２０００の反対側の吐出口列３３６０は、記録素子基板２０００の図中右側の端部に沿って配列され、右側端部に最も近く、左側端部から最も遠い吐出口列である。一組の吐出口列３３１０及び吐出口列３３２０は吐出口が千鳥状に（シグザグに）配置されたものである。すなわち、吐出口列３３１０および吐出口列３３２０はそれぞれ所定数の吐出口を例えば１２００ｄｐｉ相当のピッチで配列しているとともに、相互に１／２ピッチ相互にずれて配列している。これにより、一組の吐出口列３３１０及び吐出口列３３２０は、２４００ｄｐｉ相当のピッチで吐出口配列した１つの吐出口列として扱うことができる。他の組の吐出口列３３３０及び吐出口列３３４０並びに吐出口列３３５０及び吐出口列３３６０の吐出口配置も同様である。また、吐出口列３３１０，３３３０，３３５０はヘッド走査方向の同一ライン上に吐出口を有しており、吐出口列３３２０，３３４０，３３６０はヘッド走査方向の同一ライン上に吐出口を有している。したがって、ヘッド走査により、記録媒体上の同一箇所を一つの記録素子ユニット１１００の３つの吐出口が通過することができる。
【００３１】
図５のフローに戻って、内側領域の吐出口列３３２０〜３３５０に不吐出の吐出口が遇った場合はＳ５７０において、吐出口列３３２０〜３３５０における不吐出の吐出口を特定する。
【００３２】
続いてＳ５８０において、特定された吐出口の補完のための吐出口を、外側領域の吐出口列３３１０，３３６０の吐出口から選択する。図６において、例えば吐出口２１が不吐出であると特定された場合には、吐出口２１と同一ラインに有る、外側領域の吐出口列３３６０の吐出口６１を選択する。また、例えば吐出口３０が不吐出であると特定された場合には、吐出口３０と同一ラインに有る、外側領域の吐出口列３３１０の吐出口１０を選択する。これとは別に、吐出口２１が不吐出であると特定された場合に、吐出口２１と隣り合うラインに有る、外側領域の吐出口列３３１０の吐出口１０または吐出口１２のいずれかを選択することもできる。さらに、吐出口５２が不吐出であると特定された場合に、同様に、吐出口５２と隣り合うラインに有る、外側領域の吐出口列３３６０の吐出口６１または吐出口６３のいずれかを選択することもできる。  続くＳ５９０では、内側領域の吐出口列３３２０〜３３５０における不吐出ではない吐出口、及び、不吐出の吐出口について補完のために選択された、外側領域の吐出口列３３１０，３３６０における吐出口を使用して画像を記録する。なお、画像データは吐出口列３３２０〜３３５０の各吐出口に分散されてほぼ均等に割り当てられ、特定の吐出口列や吐出口が集中して使用されることはない。また、不吐出の吐出口に割り当てられた画像データは外側領域の吐出口列３３１０，３３６０中の同一または隣接ラインの吐出口に割り当てが変更されるが、吐出口列３３２０〜３３５０における全吐出口に対して割り当てが変更される吐出口の割合は極めて少ない。よって、記録素子基板２０００の内側領域における発熱は均一で基板温度は均等であると云え、発熱量が僅かで内側領域と温度が不均等な外側領域の吐出口列３３１０，３３６０を画像記録に使用する割合は極めて少ないため画質への影響は無視することができる。
【００３３】
また、インク供給口２２１０，２２３０は記録素子基板２０００を貫通して形成され、及び、例えば図６などに表されたようにインク供給口２２１０は吐出口列３３１０と３３２０の間に，インク供給口２２３０は吐出口列３３５０と３３６０の間に延在する。したがって、吐出口列３３２０または３３５０に対応するヒータからの熱が記録素子基板２０００の図中左または右の外側領域に伝熱される量は極めて少なく、吐出口列３３２０及び３３５０の近傍での温度低下は無視してよい。
【００３４】
上述したことから、本実施形態の記録装置が備える上記構成の記録ヘッドにＳ５７０〜Ｓ５９０の制御を行った場合の伝熱経路は図７に模式的に示す通りである。図示の通り、記録素子基板２０００の両側の外側領域から発生する熱は、この領域の吐出口列が不吐出補完などに用いられるだけなのでほぼ無視できる。また、記録素子基板２０００の内側領域の吐出口列からの熱は、支持部材４０００の梁部４０３０に伝熱される。すなわち、内側領域の吐出口列から熱が伝達する先は同じ梁部（４０３０）であり、内側領域からの伝熱は均一に行われる。したがって、不吐出補完のためのＳ５７０〜Ｓ５９０の処理を実施した結果、温度変化による濃度ムラがなく、色再現性に優れた画像記録を実現できる。
【００３５】
(実施形態１の変形例)  
Ｓ５８０の選択処理では内側領域内で不吐出の吐出口が検出された場合に補完のための吐出口を外側領域から選択したが、内側領域内で不吐出の吐出口が検出された場合に、内側領域内の他の吐出口を補完のための吐出口として選択する変形も可能である。この場合、Ｓ５８０の選択処理と同様に同一または隣接ラインの他の吐出口を選択しても良いし、所定方向である配列方向において隣り合う他の吐出口を選択しても良い。さらに、同一または隣接ラインの他の吐出口及び配列方向において隣り合う他の吐出口が不吐出であって使用できない場合は補完のための吐出口を外側領域から選択するよう処理を行う、さらなる変形も可能である。
【００３６】
（実施形態２）  
本実施形態では、複数の記録ヘッド間で記録素子基板を共通化し、記録画像の濃度ムラの原因となる記録素子基板上の不均一な温度分布を抑制するために、記録素子基板上の複数の吐出口列の一部を、画像記録のためには使用しないように制限する。該一部の吐出口列の吐出口について、吐出回復処理は実施する。また、実施形態１で実施した不吐出補完処理は実施しない。
【００３７】
本実施形態に係る記録装置は、図２〜図４に示した構成の、実施形態１に関して開示したものと同一構成の、単一色インクのための記録素子ユニット１１００を有する記録ヘッドを搭載する。異色インクのために記録素子ユニット１１００を複数備えて、カラー記録を行える構成であってもよいことは、実施形態１と同様である。
【００３８】
本実施形態では、具体的には、図４に示した記録素子基板２０００の両外側領域の吐出口列３３１０と吐出口列３３６０は記録媒体への画像記録には一切使用せず、吐出回復処理についてのみ使用するように、吐出口列３３１０，３３６０の使用を制限する。吐出口列３３１０は必要な場合に吐出回復処理を実施する。具体的には、インク供給口２２１０内のインクが吐出口列３３２０に対応するヒータの発熱などにより濃縮した場合に、該濃縮インクが画像記録のために吐出口列３３２０から吐出されることを防ぐため、定期的に吐出回復処理を実施する。吐出口列３３６０も同様に、吐出回復処理を実施する。
【００３９】
このように、吐出口列３３１０と吐出口列３３６０は必要な場合に吐出回復処理のためにインク滴吐出を行うだけであり、他の吐出口列については不吐出の有無を判定することなく、実施形態１のＳ６００（図５）と同様に記録を行う。したがって、画像データは吐出口列３３２０〜３３５０の各吐出口に分散されてほぼ均等に割り当てられ、特定の吐出口列や吐出口が集中して使用されることはない。また、記録素子基板２０００の内側領域の吐出口列からの熱は、支持部材４０００の梁部４０３０に伝熱される。すなわち、内側領域の吐出口列から熱が伝達する先は同じ梁部４０３０であり、内側領域からの伝熱は均一に行われる。さらに、外側領域の吐出口列３３１０，３３６０を画像記録に使用しない。このため、温度変化による濃度ムラがなく、色再現性に優れた画像記録を実現できる。
【００４０】
本発明の実施形態２に係る記録装置は、限定としてではなく例示として、ヒータを用い、インク供給口が３列、互いに平行に並置された図２乃至図４に示した構成を有する記録ヘッドを備える。これとは別に、ヒータを用い、インク供給口が２列または４列以上、互いに平行に並置された類似の構成を有する記録ヘッドを備える記録装置にも本発明を適用することができる。さらに、これとは別に、所謂ページプリンタに用いるライン型記録ヘッドであっても、ヒータを用い、少なくとも２列の互いに平行なインク供給口を有する類似の構成を有する記録ヘッドを備える記録装置にも本発明を適用することができる。
【図１】
2016083882.tif 000003
【図２】
2016083882.tif 000004
【図３】
2016083882.tif 000005
【図４】
2016083882.tif 000006
【図５】
2016083882.tif 000007
【図６】
2016083882.tif 000008
【図７】
2016083882.tif 000009